(57)【要約】【課題】ＢＳデジタル放送による地上デジタル放送の同時再送信が行われた場合において、ＢＳデジタル放送で同時再送信されるテレビジョン番組よりも地上デジタル放送で放送されるテレビジョン番組を優先して受信する。【解決手段】この地上波再送信の受信設定画面で「オート」６１が選択された場合、地上デジタル放送が受信できない場合に限って、地上デジタル放送の同時再送信か行われるＢＳデジタル放送のチャンネルを表示する（受信対象としてユーザに提示する）ようにする。具体的には、当該チャンネルのＢＳデジタル放送用の選局ＤＢにおける表示フラグをTRUEに設定する。本発明は、例えば、デジタルテレビジョン受像機に適用できる。【選択図】図４
2010178261.tif 000002
【特許請求の範囲】
【請求項１】
地上デジタル放送を受信する第１の受信手段と、
ＢＳ(Broadcasting Satellite)デジタル放送を受信する第２の受信手段と、
前記ＢＳデジタル放送における前記地上デジタル放送の同時再送信チャンネルの受信に関するユーザから設定を受け付ける設定手段と、
前記設定に応じ、前記同時再送信チャンネルの受信を制限する制御手段と
を含む受信装置。
【請求項２】
前記設定手段は、前記同時再送信チャンネルの受信に関するユーザから設定として、「オート」、「受信する」、または「受信しない」の３択を受け付ける
請求項１に記載の受信装置。
【請求項３】
前記制限手段は、記設定が「オート」である場合、前記地上デジタル放送が受信可能であるときには、前記同時再送信チャンネルを受信させない
請求項２に記載の受信装置。
【請求項４】
前記制御手段は、前記設定に応じ、前記同時再送信チャンネルを受信させないとともに、前記同時再送信チャンネルに対応する情報を、番組表画面および各種設定画面に表示させない
請求項１または２に記載の受信装置。
【請求項５】
受信された番組情報を保持する保持手段を
さらに含み、
前記制御手段は、前記設定に応じ、前記同時再送信チャンネルに対応する前記番組情報を、前記保持手段に保持させることなく破棄させる
請求項１または２に記載の受信装置。
【請求項６】
地上デジタル放送を受信する第１の受信手段と、
ＢＳ(Broadcasting Satellite)デジタル放送を受信する第２の受信手段とを備える受信装置の受信方法において、
前記ＢＳデジタル放送における前記地上デジタル放送の同時再送信チャンネルの受信に関するユーザから設定を受け付け、
前記設定に応じ、前記同時再送信チャンネルの受信を制限する
ステップを含む受信方法。
【請求項７】
地上デジタル放送を受信する第１の受信手段と、
ＢＳ(Broadcasting Satellite)デジタル放送を受信する第２の受信手段とを備える受信装置の制御用のプログラムであって、
前記ＢＳデジタル放送における前記地上デジタル放送の同時再送信チャンネルの受信に関するユーザから設定を受け付け、
前記設定に応じ、前記同時再送信チャンネルの受信を制限する
ステップを含む処理を受信装置のコンピュータに実行させるプログラム。
【発明の詳細な説明】
【技術分野】
【０００１】
本発明は、受信装置、受信方法、およびプログラムに関し、特に、地上デジタル放送とＢＳ(Broadcasting Satellite)デジタル放送とで、常時、同一のテレビジョン番組が放送される場合に用いて好適な受信装置、受信方法、およびプログラムに関する。
【背景技術】
【０００２】
日本においては、まもなく地上波を用いたテレビジョン放送がアナログ放送からデジタル放送に完全移行される。この完全移行に伴い、地上デジタル放送の難視聴地域を解消するための方法が数多く提案されている。
【０００３】
例えば、その１つの方法として、地上デジタル放送を、ケーブルテレビジョン放送網を用いて再送信することが提案されている（例えば、特許文献１参照）。
【０００４】
また例えば、その他の方法として、ＢＳデジタル放送による地上デジタル放送の同時再送信（地上デジタル放送で放送されているチャンネルの番組を、常時、ＢＳデジタル放送においても放送すること）が提案されている。
【先行技術文献】
【特許文献】
【０００５】
【特許文献１】特開平１１−３５５７６６号公報
【発明の概要】
【発明が解決しようとする課題】
【０００６】
ＢＳデジタル放送による地上デジタル放送の同時再送信が実施された場合、ＢＳデジタル放送を受信することが可能な地域であれば、地上デジタル放送の難視聴地域であっても地上デジタル放送のテレビジョン番組を受信して視聴することが可能となる。
【０００７】
しかしながら、地上デジタル放送とＢＳデジタル放送の両方が元々受信可能な地域にとっては、視聴可能なテレビジョン番組の実質的に増えるわけではなく、同一のテレビジョン番組が重複して受信されることになるので、受信装置（テレビジョン受像機など）のユーザにとってはむしろ操作上の混乱を招く要因にもなり得てしまう。
【０００８】
例えば、ＢＳデジタル放送で同時再送信されるテレビジョン番組は、地上デジタル放送で放送されるテレビジョン番組に比較して、その番組内容は当然ながら同一であるものの、対応する番組情報が簡略化されていたり、対応するデータ放送が省かれていたりする。
【０００９】
したがって、地上デジタル放送とＢＳデジタル放送の両方が元々受信可能な地域において使用される受信装置には、ＢＳデジタル放送で同時再送信されるテレビジョン番組よりも地上デジタル放送で放送されるテレビジョン番組を優先して受信する仕組みを備えることが望ましい。
【００１０】
本発明はこのような状況に鑑みてなされたものであり、ＢＳデジタル放送による地上デジタル放送の同時再送信が行われた場合において、ＢＳデジタル放送で同時再送信されるテレビジョン番組よりも地上デジタル放送で放送されるテレビジョン番組を優先して受信できるようにするものである。
【課題を解決するための手段】
【００１１】
本発明の一側面である受信装置は、地上デジタル放送を受信する第１の受信手段と、ＢＳデジタル放送を受信する第２の受信手段と、前記ＢＳデジタル放送における前記地上デジタル放送の同時再送信チャンネルの受信に関するユーザから設定を受け付ける設定手段と、前記設定に応じ、前記同時再送信チャンネルの受信を制限する制御手段とを含む。
【００１２】
前記設定手段は、前記同時再送信チャンネルの受信に関するユーザから設定として、「オート」、「受信する」、または「受信しない」の３択を受け付けるようにすることができる。
【００１３】
前記制限手段は、記設定が「オート」である場合、前記地上デジタル放送が受信可能であるときには、前記同時再送信チャンネルを受信させないようにすることができる。
【００１４】
前記制御手段は、前記設定に応じ、前記同時再送信チャンネルを受信させないとともに、前記同時再送信チャンネルに対応する情報を、番組表画面および各種設定画面に表示させないようにすることができる。
【００１５】
本発明の一側面である受信装置は、受信された番組情報を保持する保持手段をさらに含むことができ、前記制御手段は、前記設定に応じ、前記同時再送信チャンネルに対応する前記番組情報を、前記保持手段に保持させることなく破棄させるようにすることができる。
【００１６】
本発明の一側面である受信方法は、地上デジタル放送を受信する第１の受信手段と、ＢＳデジタル放送を受信する第２の受信手段とを備える受信装置の受信方法において、前記ＢＳデジタル放送における前記地上デジタル放送の同時再送信チャンネルの受信に関するユーザから設定を受け付け、前記設定に応じ、前記同時再送信チャンネルの受信を制限するステップを含む。
【００１７】
本発明の一側面であるプログラムは、地上デジタル放送を受信する第１の受信手段と、ＢＳデジタル放送を受信する第２の受信手段とを備える受信装置の制御用のプログラムであって、前記ＢＳデジタル放送における前記地上デジタル放送の同時再送信チャンネルの受信に関するユーザから設定を受け付け、前記設定に応じ、前記同時再送信チャンネルの受信を制限するステップを含む処理を受信装置のコンピュータに実行させる。
【００１８】
本発明の一側面においては、ＢＳデジタル放送における地上デジタル放送の同時再送信チャンネルの受信に関するユーザから設定が受け付けられ、前記設定に応じ、同時再送信チャンネルの受信が制限される。
【発明の効果】
【００１９】
本発明の一側面によれば、ＢＳデジタル放送による地上デジタル放送の同時再送信が行われた場合において、ＢＳデジタル放送で同時再送信されるテレビジョン番組よりも地上デジタル放送で放送されるテレビジョン番組を優先して受信することができる。
【図面の簡単な説明】
【００２０】
【図１】本発明を適用したデジタルテレビジョン受信装置の構成例を示すブロック図である。
【図２】制御部によって実行される各種プログラムの関係を示す図である。
【図３】選局ＤＢのデータ構造を示す図である。
【図４】地上波再送信の受信設定画面の表示例を示す図である。
【図５】設定変更時の処理を説明するフローチャートである。
【図６】BS NIT更新時の処理を説明するフローチャートである。
【図７】スキャン時の処理を説明するフローチャートである。
【図８】３桁入力選局時の処理を説明するフローチャートである。
【図９】チャンネルアップダウン選局時の処理を説明するフローチャートである。
【図１０】EIT受信時の処理を説明するフローチャートである。
【発明を実施するための形態】
【００２１】
以下、発明を実施するための最良の形態（以下、実施の形態と称する）について、図面を参照しながら詳細に説明する。
１．第１の実施の形態
【００２２】
＜１．第１の実施の形態＞
［デジタルテレビジョン受信装置の構成例］
図１は、本発明の一実施の形態であるデジタルテレビジョン受信装置の構成例を示すブロック図である。このデジタルテレビジョン受信装置１０は、少なくとも地上デジタル放送、ＢＳデジタル放送、およびＣＳデジタル放送を受信し、その映像と音声をテレビジョン受像機などに出力するものである。
【００２３】
デジタルテレビジョン受信装置１０は、制御部１１、メモリ１２、操作入力部１３、チューナ１４、デスクランブラ１５、デマルチプレクサ１６、ＡＶデコーダ１７から構成される。
【００２４】
制御部１１は、メモリ１２に予め保持されている各種のプログラムを実行することにより、デジタルテレビジョン受信装置１０の各部を制御する。メモリ１２には、アプリケーションプログラム、ミドルウェアプログラム、およびドライバ（いずれも図２を参照して後述する）が予め保持されている。
【００２５】
操作入力部１３は、リモートコントローラなどを用いたユーザからの操作に対応して操作信号を発生し制御部１１に入力する。
【００２６】
チューナ１４は、アンテナ（不図示）などより入力される放送信号のうち、選局されたチャンネルに対応する成分を抽出してデスクランブラ１５に出力する。なお、図示は省略したが、チューナ１４には、地上デジタル放送を受信する部位、ＢＳデジタル放送を受信する部位、およびＣＳデジタル放送を受信する部位がそれぞれ設けられている。
【００２７】
デスクランブラ１５は、チューナ１４から入力される所定のチャンネルの放送信号のスクランブルを解除してデマルチプレクサ１６に出力する。
【００２８】
デマルチプレクサ１６は、スクランブルが解除された放送信号から符号化されているビデオデータおよびオーディオデータを分離してＡＶデコーダ１７に出力する。また、デマルチプレクサ１６は、放送信号からNIT(network information table)、EPG(electric program guide)データなどを含む制御情報を分離して制御部１１に出力する。
【００２９】
ＡＶデコーダ１７は、デマルチプレクサ１６から入力されるビデオデータおよびオーディオデータをそれぞれデコードし、その結果得られるビデオ信号およびオーディオ信号を出力する。このビデオ信号およびオーディオ信号は、例えばテレビジョン受像機などに入力されてその映像が表示されるとともに、音声が出力される。
【００３０】
図２は、メモリ１２に予め保持されている、制御部１１によって実行される各種プログラムを示している。
【００３１】
メモリ１２には、スキャンＡＰ２１、受信設定ＡＰ２２、および選局ＡＰ２３からなるアプリケーションプログラム群、選局ＭＷ３１、番組表ＭＷ３２、選局ＢＤ（データベース）３１および番組情報ＤＢ３２からなるミドルウェアが保持されている。さらに、メモリ１２には、チューナドライバ４１、デマルチプレクサドライバ４２、およびＡＶデコーダドライバ４３からなるドライバ群が保持されている。
【００３２】
スキャンＡＰ２１は、ユーザからのスキャン指示操作に応じ、選局ＭＷ３１に対してチャンネルスキャンの制御を指示する。受信設定ＡＰ２２は、ユーザからの受信設定操作に応じ、選局ＭＷ３１を制御して受信に関する各種の設定を変更させる。選局ＡＰ２３は、ユーザからの選局操作に応じ、選局ＭＷ３１に対して選局の制御を指示する。
【００３３】
選局ＭＷ３１は、各アプリケーションプログラムからの制御に従い、選局ＢＤ３３を参照することによりチャンネルスキャン、受信設定変更、選局などの処理を実行するように各ドライバを制御する。番組表ＭＷ３２は、番組情報ＤＢ３４を参照することにより、電子番組表を生成する。
【００３４】
選局ＤＢ３３には、選局ＭＷ３１によって変更される受信設定情報が保持される。番組情報ＤＢ３４には、EPGデータなどの番組情報が保持される。
【００３５】
チューナドライバ４１は、選局ＭＷ３１からの制御に従い、チューナ１４を動作させる。
デマルチプレクサドライバ４２は、選局ＭＷ３１からの制御に従い、デマルチプレクサ１６を動作させる。ＡＶデコーダドライバ４３は、選局ＭＷ３１からの制御に従い、ＡＶデコーダ１７を動作させる。
【００３６】
次に、選局ＤＢ３３について詳述する。
【００３７】
図３は、選局ＤＢ３３のデータ構成を示している。選局ＤＢ３３は、地上デジタル放送用の選局ＤＢ３３−Ｇ、ＣＳデジタル放送用の選局ＤＢ３３−Ｃ、およびＢＳデジタル放送用の選局ＤＢ３３−Ｂから構成される。各放送用の選局ＤＢは、放送信号に含まれるNITに基づいて構築される。
【００３８】
ＢＳデジタル放送用の選局ＤＢ３３−Ｂには、各チャンネルに対してnetwork_id，ts_id，service_id、プリセット、周波数，ＣＨ±キーフラグ、および表示フラグの８項目の情報が記述される。
【００３９】
network_id，ts_id、およびservice_idは、当該チャンネルに対して放送規格により規定されている値である。
【００４０】
なお、ＢＳデジタル放送による地上デジタル放送の同時再送信が行われた場合、ＢＳデジタル放送における当該チャンネルのts_idは、現状において、0x4310または0x4311と規定されている。今後、当該チャンネルのトランスポンダが移動されることを考慮すると、0x42XX乃至0x43XX（XXは任意の値）が、ＢＳデジタル放送による地上デジタル放送の同時再送信のチャンネルのts_idになると考えられる。
【００４１】
したがって、本実施の形態においては、ts_idが0x42XX乃至0x43XXのチャンネルをＢＳデジタル放送による地上デジタル放送の同時再送信のチャンネルとして扱う。ただし、ＢＳデジタル放送による地上デジタル放送の同時再送信のチャンネルのts_idが0x42XX乃至0x43XXから変更された場合、変更後のts_idに従うものとする。
【００４２】
プリセットは、当該チャンネルに対して予め割り振られている、リモートコントローラを用いたときのダイレクト選局時の番号（テンキーの１乃至１０のうちのいずれかの値）である。周波数は、当該チャンネルの中心周波数である。
【００４３】
ＣＨ±キーフラグは、リモートコントローラのチャンネルアップキーまたはチャンネルダウンキーが操作されたときに、当該チャンネルが選局されるか（TRUE）、または当該チャンネルが選局されずにスキップされるか（FALSE）を示す情報である。
【００４４】
表示フラグは、当該チャンネルを存在するものとして扱うか(TRUE)、または当該チャンネルが存在しないものとして扱うか(FALSE)を示す情報である。当該チャンネルが存在しないものとして扱う場合、当該チャンネルは、リモートコントローラのテンキーによる３桁入力でも選局できなくなることに加え、当該選局ＤＢ以外の各種の設定などにおいてもその存在がないものとしてリストから消去される。
【００４５】
上述したＢＳデジタル放送用の選局ＤＢ３３−Ｂの８項目のうち、表示フラグ以外については、放送信号に含まれるNITに従って記述される。表示フラグについては、後述するように、選局ＭＷ３１の判断に基づいて記述される。
【００４６】
次に、図４は、ＢＳデジタル放送による地上デジタル放送の同時再送信が行われた場合、ＢＳデジタル放送におけるそのチャンネルを受信するか否かをユーザが設定するための設定画面の表示例を示している。
【００４７】
この地上波再送信の受信設定画面６０には、選択肢として「オート」６１、「受信する」６２、および「受信しない」６３が設けられている。
【００４８】
「オート」６１が選択された場合、地上デジタル放送が受信できない場合に限って、地上デジタル放送の同時再送信か行われるＢＳデジタル放送のチャンネルを表示する（受信対象としてユーザに提示する）ようにする。具体的には、当該チャンネルのＢＳデジタル放送用の選局ＤＢ３３−Ｂにおける表示フラグをTRUEに設定する。
【００４９】
「受信する」６２が選択された場合、地上デジタル放送の受信の可否に拘わらず、地上デジタル放送の同時再送信が行われるＢＳデジタル放送のチャンネルを表示する（受信対象としてユーザに提示する）ようにする。具体的には、当該チャンネルのＢＳデジタル放送用の選局ＤＢ３３−Ｂにおける表示フラグをTRUEに設定する。
【００５０】
「受信しない」６３が選択された場合、地上デジタル放送の受信の可否に拘わらず、地上デジタル放送の同時再送信が行われるＢＳデジタル放送のチャンネルを表示しない（受信対象としてユーザに提示しない）ようにする。具体的には、当該チャンネルのＢＳデジタル放送用の選局ＤＢ３３−Ｂにおける表示フラグをFALSEに設定する。
【００５１】
［デジタルテレビジョン受信装置の動作］
次に、図４に示された地上波再送信の受信設定画面６０において、地上波再送信の受信設定が変更されたときの処理（以下、設定変更時の処理と称する）について説明する。
【００５２】
図５は、設定変更時の処理を説明するフローチャートである。この設定変更時の処理は、ユーザが地上波再送信の受信設定画面６０において、地上波再送信の受信設定を変更したときに実行される。
【００５３】
ステップＳ１において、受信設定ＡＰ２２は、受信設定画面６０における変更後の設定が「オート」６１、「受信する」６２、または「受信しない」６３のいずれであるかを判定する。
【００５４】
ステップＳ１において、受信設定画面６０における変更後の設定が「オート」６１であると判定された場合、処理はステップＳ２に進められる。ステップＳ２において、選局ＭＷ３１は、選局ＤＢ３３を参照することにより、既に地上波の選局ＤＢ３３−Ｇを作成済みであるか（すなわち、地上デジタル放送はチャンネルスキャン済みであるか）否かを判定する。
【００５５】
ステップＳ２において、既に地上波の選局ＤＢ３３−Ｇを作成済みである（すなわち、地上デジタル放送はチャンネルスキャン済みである）と判定された場合、処理はステップＳ３に進められる。
【００５６】
なお、ステップＳ１において、受信設定画面６０における変更後の設定が「受信しない」６３であると判定された場合には、ステップＳ２がスキップされて、処理はステップＳ３に進められる。
【００５７】
ステップＳ３において、選局ＭＷ３１は、選局ＤＢ３３のＢＳの選局ＤＢ３３−Ｂにおける、ts_idが0x42XX乃至0x43XXのチャンネル（ＢＳデジタル放送による地上デジタル放送の同時再送信のチャンネル）の表示フラグをFALSEに設定する。
【００５８】
このステップＳ３の処理により、ＢＳデジタル放送による地上デジタル放送の同時再送信のチャンネルがユーザに対して提示されないようになる。
【００５９】
反対に、ステップＳ２において、既に地上波の選局ＤＢ３３−Ｇを作成済みではない（すなわち、地上デジタル放送はチャンネルスキャン済みではない）と判定された場合、処理はステップＳ４に進められる。
【００６０】
また、ステップＳ１において、受信設定画面６０における変更後の設定が「受信する」６２であると判定された場合にも、処理はステップＳ４に進められる。
【００６１】
ステップＳ４において、選局ＭＷ３１は、ＢＳの選局ＤＢ３３−Ｂにおける、ts_idが0x42XX乃至0x43XXのチャンネル（ＢＳデジタル放送による地上デジタル放送の同時再送信のチャンネル）の表示フラグをTRUEに設定する。
【００６２】
このステップＳ４の処理により、ＢＳデジタル放送による地上デジタル放送の同時再送信のチャンネルが常にユーザに対して提示されるようになる。
【００６３】
以上で、設定変更時の処理の説明を終了する。
【００６４】
次に、ＢＳデジタル放送におけるNITが更新されたときの処理（以下、BS NIT更新時の処理と称する）について説明する。
【００６５】
図６は、BS NIT更新時の処理を説明するフローチャートである。このBS NIT更新時の処理は、受信したＢＳデジタル放送のNITのバージョンがそれまでと異なる場合に実行される。
【００６６】
ステップＳ１１において、受信設定ＡＰ２２は、受信設定画面６０における現在の設定が「オート」６１、「受信する」６２、または「受信しない」６３のいずれであるかを判定する。
【００６７】
ステップＳ１１において、受信設定画面６０における現在の設定が「オート」６１であると判定された場合、処理はステップＳ１２に進められる。ステップＳ１２において、選局ＭＷ３１は、選局ＤＢ３３を参照することにより、既に地上波の選局ＤＢ３３−Ｇを作成済みであるか（すなわち、地上デジタル放送はチャンネルスキャン済みであるか）否かを判定する。
【００６８】
ステップＳ１２において、既に地上波の選局ＤＢ３３−Ｇを作成済みである（すなわち、地上デジタル放送はチャンネルスキャン済みである）と判定された場合、処理はステップＳ１３に進められる。
【００６９】
なお、ステップＳ１１において、受信設定画面６０における現在の設定が「受信しない」６３であると判定された場合には、ステップＳ１２がスキップされて、処理はステップＳ１３に進められる。
【００７０】
ステップＳ１３において、選局ＭＷ３１は、選局ＤＢ３３のＢＳの選局ＤＢ３３−Ｂにおける、ts_idが0x42XX乃至0x43XXのチャンネル（ＢＳデジタル放送による地上デジタル放送の同時再送信のチャンネル）の表示フラグをFALSEに設定する。
【００７１】
このステップＳ１３の処理により、ＢＳデジタル放送による地上デジタル放送の同時再送信のチャンネルがユーザに対して提示されないようになる。
【００７２】
反対に、ステップＳ１２において、既に地上波の選局ＤＢ３３−Ｇを作成済みではない（すなわち、地上デジタル放送はチャンネルスキャン済みではない）と判定された場合、処理はステップＳ１４に進められる。
【００７３】
また、ステップＳ１１において、受信設定画面６０における現在の設定が「受信する」６２であると判定された場合にも、処理はステップＳ１４に進められる。
【００７４】
ステップＳ１４において、選局ＭＷ３１は、ＢＳの選局ＤＢ３３−Ｂにおける、ts_idが0x42XX乃至0x43XXのチャンネル（ＢＳデジタル放送による地上デジタル放送の同時再送信のチャンネル）の表示フラグをTRUEに設定する。
【００７５】
このステップＳ１４の処理により、ＢＳデジタル放送による地上デジタル放送の同時再送信のチャンネルが常にユーザに対して提示されるようになる。
【００７６】
以上で、BS NIT更新時の処理の説明を終了する。
【００７７】
次に、地方デジタル放送のチャンネルスキャンを実行したときの処理（以下、スキャン時の処理と称する）について説明する。
【００７８】
図７は、スキャン時の処理を説明するフローチャートである。このスキャン時の処理は、例えば、初期設定時などの他、ユーザから地方デジタル放送のチャンネルスキャンの実行を指示されたときに開始される。
【００７９】
ステップＳ２１において、スキャンＡＰ２１は、選局ＭＷ３１を制御して地方デジタル放送のチャンネルスキャンを実行するように指示する。この指示に応じ、選局ＭＷ３１は、チューナドライバ４１を用い、チューナ１４に対して地方デジタル放送のチャンネルスキャンを実行させる。
【００８０】
ステップＳ２２において、選局ＭＷ３１は、ステップＳ２２のチャンネルスキャンにおいて、地上デジタル放送を受信できたか否かを判定し、受信できたと判定した場合、処理をステップＳ２３に進める。なお、ステップＳ２２において、地上デジタル放送を受信できないと判定された場合、このスキャン時の処理は終了される。
【００８１】
ステップＳ２３において、選局ＭＷ３１は、チャンネルスキャンの結果に基づいて、地上波の選局ＤＢ３３−Ｇを作成（あるいは更新）する。
【００８２】
ステップＳ２４において、選局ＭＷ３１は、地上波再送信の受信設定画面６０における設定が「オート」６１であるか否かを判定し、「オート」６１であると判定した場合のみ、処理をステップＳ２５に進める。なお、ステップＳ２４において、地上波再送信の受信設定画面６０における設定が「オート」６１ではないと判定された場合、このスキャン時の処理は終了される。
【００８３】
ステップＳ２５において、選局ＭＷ３１は、ＢＳの選局ＤＢ３３−Ｂにおける、ts_idが0x42XX乃至0x43XXのチャンネル（ＢＳデジタル放送による地上デジタル放送の同時再送信のチャンネル）の表示フラグをFALSEに設定する。
【００８４】
このステップＳ２５の処理により、ＢＳデジタル放送による地上デジタル放送の同時再送信のチャンネルがユーザに対して提示されないようになる。
【００８５】
次に、ユーザがリモートコントローラを用いて選局指示を行ったときの処理について説明する。ユーザによる選局指示は、テンキーを１つだけ押すダイレクト選局、テンキーにより３桁（service_id）を入力する３桁入力選局、およびチャンネルアップキーやチャンネルダウンキーによるチャンネルアップダウン選局がある。
【００８６】
図８は、ユーザがリモートコントローラに設けられているテンキーにより３桁を入力する３桁入力選局を行ったときに実行される処理（以下、３桁入力選局時の処理と称する）を説明するフローチャートである。
【００８７】
ステップＳ３１において、選局ＭＷ３１は、ユーザによるテンキーの入力結果（３桁の番号）を取得する。ステップＳ３２において、選局ＭＷ３１は、選局ＤＢ３３を参照して、入力された３桁の番号と同じservice_idのチャンネルが存在するか否かを判定し、存在すると判定した場合、処理をステップＳ３３に進める。
【００８８】
ステップＳ３３において、選局ＭＷ３１は、ステップＳ３２で存在すると判定したチャンネルの表示フラグがTRUEであるか否かを判定し、表示フラグがTRUEであると判定した場合、処理をステップＳ３４に進める。ステップＳ３４において、選局ＭＷ３１は、チューナドライバ４１を用い、チューナ１４に対して、ステップＳ３２で存在すると判定したチャンネルに選局させる。以上で、３桁入力選局時の処理は終了される。
【００８９】
なお、ステップＳ３２において、ステップＳ３２において、選局ＤＢ３３に、入力された３桁の番号と同じservice_idのチャンネルが存在しないと判定された場合、処理はステップＳ３５に進められる。
【００９０】
また、ステップＳ３３において、表示フラグがTRUEではないと判定された場合にも、処理はステップＳ３５に進められる。
【００９１】
ステップＳ３５において、選局ＭＷ３１は、選局の変更を実行せず、ユーザに対して例えば「選局先が見つかりません」などのメッセージを表示する。以上で、３桁入力選局時の処理は終了される。
【００９２】
以上説明した３桁入力選局時の処理によれば、ユーザがＢＳデジタル放送における地上波再送信のチャンネルを入力したとしても、ＢＳの選局ＤＢ３３−Ｂの表示フラグの状態に応じ、ＢＳデジタル放送における地上波再送信のチャンネルを表示しないようにすることができる。
【００９３】
次に、図９は、ユーザがリモートコントローラに設けられているチャンネルアップキーやチャンネルダウンキーにより選局を指示したときに実行される処理（以下、チャンネルアップダウン選局時の処理と称する）を説明するフローチャートである。
【００９４】
ステップ４１において、選局ＭＷ３１は、ユーザによる入力結果として、チャンネルアップキーが操作されたのか、チャンネルダウンキーが操作されたのかを示す情報を取得する。ステップＳ４２において、選局ＭＷ３１は、選局ＤＢ３３に対し、現在選局されているチャンネルに対応するservice_idの次のservice_idを問い合わせる。この問い合わせに応じ、選局ＤＢ３３は、次のservice_idを選局ＭＷ３１に通知する。
【００９５】
ここで、次のservice_idとは、チャンネルアップキーが操作された場合には、現在選局されているチャンネルに対応するservice_idよりも値が大きい方に隣接するservice_idをさす。ただし、現在選局されているチャンネルに対応するservice_idが最大値である場合、最小値を次のservice_idとする。
【００９６】
反対に、チャンネルダウンキーが操作された場合には、現在選局されているチャンネルに対応するservice_idよりも値が小さい方に隣接するservice_idをさす。ただし、現在選局されているチャンネルに対応するservice_idが最小値である場合、最大値を次のservice_idとする。
【００９７】
また、現在選局されているチャンネル以外のチャンネルが存在しない場合、次のservice_idとして、現在選局されているチャンネルのservice_idが通知されるものとする。
【００９８】
ステップＳ４３において、選局ＭＷ３１は、現在選局されているチャンネルのservice_idと、選局ＤＢ３３から通知された次のservice_idとが一致するか否かを判定する。両者が一致すると判定された場合、選局先のチャンネルが存在しないので、このチャンネルアップダウン選局時の処理は終了される。
【００９９】
両者が一致しないと判定された場合、処理はステップＳ４４に進められる。ステップＳ４４において、選局ＭＷ３１は、選局ＤＢ３３を参照し、次のservice_idに対応するＣＨ±キーフラグがTRUEであるか否かを判定する。TRUEであると判定した場合、さらに、選局ＭＷ３１は、ステップＳ４５において、次のservice_idに対応する表示フラグがTRUEであるか否かを判定する。TRUEであると判定された場合、処理はステップＳ４６に進められる。
【０１００】
ステップＳ４６において、選局ＭＷ３１は、チューナドライバ４１を用い、チューナ１４に対して、通知された次のservice_idに対応するチャンネルに選局させる。以上で、チャンネルアップダウン選局時の処理は終了される。
【０１０１】
なお、ステップＳ４４において、次のservice_idに対応するＣＨ±キーフラグがTRUEではないと判定した場合、あるいは、ステップＳ４５において、次のservice_idに対応する表示フラグがTRUEではないと判定された場合、処理はステップＳ４７に進められる。
【０１０２】
ステップＳ４７において、選局ＭＷ３１は、さらに選局ＤＢ３３に対し、現在通知されている次のservice_idの、次のservice_idを問い合わせる。この問い合わせに応じ、選局ＤＢ３３は、新たに次のservice_idを選局ＭＷ３１に通知する。この後、処理はステップＳ４３に戻り、それ以降が繰り返される。
【０１０３】
以上説明したチャンネルアップダウン選局時の処理によれば、ユーザがチャンネルアップダウン選局を指示した場合、ＢＳデジタル放送における地上波再送信のチャンネルが存在しても、ＢＳの選局ＤＢ３３−Ｂの表示フラグの状態に応じ、ＢＳデジタル放送における地上波再送信のチャンネルを表示しないようにすることができる。
【０１０４】
最後に、ＢＳデジタル放送における地上波再送信のチャンネルに関するEIT(event information table)を受信したときの処理（以下、EIT受信時の処理と称する）について説明する。
【０１０５】
図１０は、EITを受信したときに実行されるEIT受信時の処理を説明するフローチャートである。
【０１０６】
ステップＳ５１において、番組表ＭＷ３２は、受信したEITのnetwork_id，ts_id，service_idを特定する。ステップＳ５２において、番組表ＭＷ３２は、ステップＳ５１で特定したnetwork_id，ts_id，service_idに対応する表示フラグを選局ＤＢ３３から取得する。
【０１０７】
ステップＳ５３において、番組表ＭＷ３２は、ステップＳ５２で取得した表示フラグがTRUEであるか否かを判定する。TRUEであると判定された場合、処理はステップＳ５４に進められる。ステップＳ５４において、番組表ＭＷ３２は、受信されたEITを解析して、解析結果として得られる番組情報を番組情報ＤＢ３４に蓄積させる。
【０１０８】
反対に、ステップＳ５３において、ステップＳ５２で取得した表示フラグがTRUEではないと判定された場合、処理はステップＳ５５に進められる。
【０１０９】
ステップＳ５５において、番組表ＭＷ３２は、受信されたEITを破棄させる。以上で、EIT受信時の処理は終了される。
【０１１０】
以上説明したEIT受信時の処理によれば、ユーザに対して表示しないチャンネル（すなわち、表示フラグがFALSEのチャンネル）のEITは破棄するようにしたので、番組ＤＢ３４の容量を節約することができる。
【０１１１】
以上説明したように、本実施の形態であるデジタルテレビジョン受信装置によれば、ＢＳデジタル放送による地上デジタル放送の同時再送信が行われた場合において、ユーザの設定に応じ、当該同時再送信のチャンネルをユーザに提示しないようにすることができる。よって、ＢＳデジタル放送で同時再送信されるテレビジョン番組よりも地上デジタル放送で放送されるテレビジョン番組を優先して受信し、ユーザに視聴させることができる。
【０１１２】
なお、本発明は、本実施の形態であるデジタルテレビジョン受信装置の他、デジタルテレビジョン受像機に代表される地上デジタル放送およびＢＳデジタル放送を受信可能な電子機器に適用することができる。
【０１１３】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１１４】
なお、本発明の実施の形態は、上述した実施の形態に限定されるものではなく、本発明の要旨を逸脱しない範囲において種々の変更が可能である。
【符号の説明】
【０１１５】
１０  デジタルテレビジョン受信装置，  １１  制御部，  １２  メモリ，  １３  操作入力部，  １４  チューナ，  ２１  スキャンＡＰ,  ２２  受信設定ＡＰ，  ２３  選局ＡＰ，  ３１  選局ＭＷ，  ３２  番組表ＭＷ，  ３３  選局ＤＢ，  ３４  番組情報ＤＢ，  ４１  チューナドライバ，  ４２  デマルチプレクサドライバ，  ４３  ＡＶデコーダドライバ，  ６０  受信設定画面
【図１】
2010178261.tif 000003
【図２】
2010178261.tif 000004
【図３】
2010178261.tif 000005
【図４】
2010178261.tif 000006
【図５】
2010178261.tif 000007
【図６】
2010178261.tif 000008
【図７】
2010178261.tif 000009
【図８】
2010178261.tif 000010
【図９】
2010178261.tif 000011
【図１０】
2010178261.tif 000012